(57)【要約】      （修正有）【課題】ＭＰＥＧメディアバリューチェーンオントロジオブジェクトのデータタイプの属性フィールドを用いてユーザ参加情報を表現することで、ユーザ参加情報を知的財産権の管理のためのオントロジに追加できる方法及びその装置を提供する。【解決手段】オントロジオブジェクトの属性フィールドを用いたユーザ参加情報の表現方法は、オブジェクトをクラス形態で格納しているオントロジデータベースで対象オブジェクトを選定する段階と、クラス内の属性フィールドを選定する段階と、ユーザ入力を選定された属性フィールドの値として格納することで、ユーザ参加情報を追加する段階とを含む。オントロジデータベースに格納されているクラスはクラスのインスタンスが生成される時に定義される属性フィールドを有しており、任意の値が属性フィールドの値として選択されて格納される。選定された属性フィールドはデータタイプの属性フィールドである。【選択図】図１
2010146541.tif 000002
【特許請求の範囲】
【請求項１】
オブジェクトをクラス形態で格納しているオントロジデータベースで対象オブジェクトを選定する段階と、
前記選定されたオブジェクトに該当するクラス内の属性フィールドを選定する段階と、
ユーザ入力を前記選定された属性フィールドの値として格納することで、ユーザ参加情報を追加する段階と
を含むオントロジオブジェクトの属性フィールドを用いたユーザ参加情報の表現方法。
【請求項２】
前記オントロジデータベースに格納されている前記クラスは前記クラスのインスタンスが生成される時に定義される属性フィールドを有しており、前記インスタンスが生成される時に任意の値が前記属性フィールドの値として選択されて格納されることを特徴とする請求項１に記載のオントロジオブジェクトの属性フィールドを用いたユーザ参加情報の表現方法。
【請求項３】
前記インスタンスが生成される時に定義される前記属性フィールドはデータタイプの属性フィールドとオブジェクトタイプの属性フィールドとに区分され、前記選定された属性フィールドはデータタイプの属性フィールドであることを特徴とする請求項２に記載のオントロジオブジェクトの属性フィールドを用いたユーザ参加情報の表現方法。
【請求項４】
前記ユーザ入力は、前記選定されたオブジェクトに対する注釈であるストリングであることを特徴とする請求項１に記載のオントロジオブジェクトの属性フィールドを用いたユーザ参加情報の表現方法。
【請求項５】
オブジェクトをクラス形態で格納しているオントロジデータベースで対象オブジェクトを選定する対象オブジェクト選定部と、
前記選定されたオブジェクトに該当するクラス内の属性フィールドを選定する属性フィールド選定部と、
ユーザ入力を前記選定された属性フィールドの値として格納することで、ユーザ参加情報を追加するユーザ参加情報入力部と
を含むオントロジオブジェクトの属性フィールドを用いたユーザ参加情報の表現装置。
【請求項６】
前記オントロジデータベースに格納されている前記クラスは前記クラスのインスタンスが生成される時に定義される属性フィールドを有しており、前記インスタンスが生成される時に任意の値が前記属性フィールドの値として選択されて格納されることを特徴とする請求項５に記載のオントロジオブジェクトの属性フィールドを用いたユーザ参加情報の表現装置。
【請求項７】
前記インスタンスが生成される時に定義される前記属性フィールドはデータタイプの属性フィールドとオブジェクトタイプの属性フィールドとに区分され、前記選定された属性フィールドはデータタイプの属性フィールドであることを特徴とする請求項６に記載のオントロジオブジェクトの属性フィールドを用いたユーザ参加情報の表現装置。
【請求項８】
前記ユーザ入力は、前記選定されたオブジェクトに対する注釈であるストリングであることを特徴とする請求項５に記載のオントロジオブジェクトの属性フィールドを用いたユーザ参加情報の表現装置。
【発明の詳細な説明】
【技術分野】
【０００１】
本発明は、オントロジオブジェクトの属性フィールドを用いたユーザ参加情報の表現方法及びその装置に関し、より詳細には、ＭＰＥＧ（Ｍｏｖｉｎｇ Ｐｉｃｔｕｒｅ Ｅｘｐｅｒｔｓ Ｇｒｏｕｐ）メディアバリューチェーンオントロジ（ｍｅｄｉａ ｖａｌｕｅ ｃｈａｉｎ ｏｎｔｏｌｏｇｙ）オブジェクトのデータタイプの属性フィールドを用いてユーザ参加情報を表現するようにする方法及びその装置に関する。
【０００２】
本発明は知識経済部及び情報通信研究振興院のＩＴ成長動力技術開発事業の一環として行った研究から導き出されたものである[課題管理番号：２００８-Ｓ-０２０-０１、課題名：ウェブＱＡ技術開発]。
【背景技術】
【０００３】
周知の通り、ＭＰＥＧメディアバリューチェーンオントロジは、メディアの知的財産権に関する情報を格納し、格納された情報を多様な応用に用いるための体系的な情報リソースである。このようなＭＰＥＧメディアバリューチェーンオントロジには知的財産権に関するユーザ、知的財産権対象オブジェクト、ユーザの行為及びユーザの役割など多様なメディア関連情報が格納されて検索などの応用のために使用され得る。
【０００４】
メディアの知的財産権と関連して、ユーザ参加情報は多様なソースから有用な情報を獲得できるという点で非常に重要である。
【０００５】
従って、現在のように半導体及び情報通信技術が急速に発展している環境を考慮すると、ＭＰＥＧメディアバリューチェーンオントロジオブジェクトのデータタイプの属性フィールドを用いたユーザ参加情報を知的財産権の管理のためのオントロジに追加できる方法及びその装置を更に開発する必要がある。
【発明の概要】
【発明が解決しようとする課題】
【０００６】
そこで、本発明は上記事情に鑑みてなされたものであって、その目的は、ＭＰＥＧメディアバリューチェーンオントロジオブジェクトのデータタイプの属性フィールドを用いてユーザ参加情報を表現することで、ユーザ参加情報を知的財産権の管理のためのオントロジに追加できる方法及びその装置を提供することにある。
【課題を解決するための手段】
【０００７】
前記目的を達成するための本発明の一観点によれば、オブジェクトをクラス形態で格納しているオントロジデータベースで対象オブジェクトを選定する段階と、前記選定されたオブジェクトに該当するクラス内の属性フィールドを選定する段階と、ユーザ入力を前記選定された属性フィールドの値として格納することで、ユーザ参加情報を追加する段階とを含むオントロジオブジェクトの属性フィールドを用いたユーザ参加情報の表現方法が提供される。
【０００８】
本発明の他の観点によれば、オブジェクトをクラス形態で格納しているオントロジデータベースで対象オブジェクトを選定する対象オブジェクト選定部と、前記選定されたオブジェクトに該当するクラス内の属性フィールドを選定する属性フィールド選定部と、ユーザ入力を前記選定された属性フィールドの値として格納することで、ユーザ参加情報を追加するユーザ参加情報入力部とを含むオントロジオブジェクトの属性フィールドを用いたユーザ参加情報の表現装置が提供される。
【発明の効果】
【０００９】
本発明によれば、ＭＰＥＧメディアバリューチェーンオントロジオブジェクトのデータタイプの属性フィールドを用いてユーザ参加情報を表現することで、ユーザ参加情報を知的財産権の管理のためのオントロジに追加できるという効果を奏する。即ち、メディアの知的財産権と関連して多様なソースから有用な情報を獲得して知的財産権の管理のためのオントロジに追加することで、ユーザの多様な要求に符合する情報を管理し応用できるという利点がある。
【図面の簡単な説明】
【００１０】
【図１】本発明の一実施形態によるオントロジオブジェクトの属性フィールドを用いたユーザ参加情報の表現装置に対するブロック図である。
【図２】オブジェクト、データタイプ属性及びユーザ参加情報の階層関係を示すブロック図である。
【図３】オントロジオブジェクトのインスタンスの例示的な階層図である。
【発明を実施するための形態】
【００１１】
以下、添付する図面を参照して本発明の動作原理を詳細に説明する。
【００１２】
図１は、本発明の一実施形態によるオントロジオブジェクトの属性フィールドを用いたユーザ参加情報の表現装置に対するブロック図である。ユーザ参加情報の表現装置は、オントロジデータベース（以下、単にオントロジＤＢという）１０と、対象オブジェクト選定部２０と、属性フィールド選定部３０と、ユーザ参加情報入力部４０とを含むことができる。
【００１３】
オントロジＤＢ１０は、ＭＰＥＧのメディアバリューチェーンオントロジのためのデータベースであって、知的財産権と関連したユーザと知的財産権対象オブジェクトとユーザの行為及びユーザの役割など多様なメディア関連情報が格納され、格納された情報は検索などの応用のために使用され得る。オントロジＤＢ１０には、客体がクラス形態で格納され、各クラスには、オブジェクトと関連した情報を格納するための属性フィールドがクラスのインスタンスが生成される時に定義され得る。また、クラスのインスタンスが生成される時に任意の値が属性フィールドの値として格納されることができる。知的財産権関連クラスの例としては、ユーザクラス、ユーザ行為クラス、知的財産権対象オブジェクト（ＩＰ ｅｎｔｉｔｉｅｓ）クラス、権利クラス、権利付与権クラスなどが挙げられる。
【００１４】
対象オブジェクト選定部２０は、オントロジＤＢ１０に格納されているオブジェクトのうち、ユーザ参加情報を入力する対象であるオブジェクトを選定し、この対象オブジェクト選定が完了したことを知らせる対象オブジェクト選定完了メッセージを属性フィールド選定部３０に提供できる。
【００１５】
属性フィールド選定部３０は、対象オブジェクト選定部２０から入力された対象オブジェクト選定完了メッセージに応じて、前記選定されたオブジェクトに該当するクラス内の属性フィールドを選定し、この属性フィールドの選定が完了したことを知らせる属性フィールド選定完了メッセージをユーザ参加情報入力部４０に提供できる。
【００１６】
ユーザ参加情報入力部４０は、属性フィールド選定部３０から入力される属性フィールド選定完了メッセージに応じて、ユーザ入力を前記選択された属性フィールドの値として格納することで、ユーザ参加情報を追加する。
【００１７】
表１には一例として“Ｄｉｓｔｒｉｂｕｔｏｒ”クラス及びその属性を示している。“Ｄｉｓｔｒｉｂｕｔｏｒ”クラスは“Ｕｓｅｒ”クラスの下位クラスであって、知的財産権対象オブジェクトを配布する役割をするユーザを示し、“Ａ Ｕｓｅｒ ｗｈｏ ｄｉｓｔｒｉｂｕｔｅｓ ａ Ｐｒｏｄｕｃｔ”と定義される。“Ｄｉｓｔｒｕｂｕｔｏｒ”クラスは“Ｉｓ_ｉｄｅｎｔｉｆｉｅｄ_ｂｙ”、“Ｈａｓ_ｒｏｌｅ_ｏｆ”、“Ｄｏ_ａｃｔｉｏｎ”及び“Ｈａｓ_ＩＰ”などのオブジェクトタイプ属性とデータタイプ属性である“Ｈａｓ_ｓｏｃｉａｌ_ｔａｇ”を含む。ここで、データタイプ属性“Ｈａｓ_ｓｏｃｉａｌ_ｔａｇ”がユーザ参加情報を追加するのに用いられる。
【表１】
2010146541.tif 000003
【００１８】
図２は、オブジェクト、データタイプ属性及びユーザ参加情報の階層関係を示すブロック図である。
【００１９】
図２に示すように、ユーザ参加情報であるソーシャルタグ（ｓｏｃｉａｌ ｔａｇ）２０５は、オブジェクト２０１のデータタイプ属性２０３の値であって、オントロジＤＢ１０内に格納される。また、データタイプ属性２０３は多様な情報を階層的に格納するために下位属性を有することができる。
【００２０】
図３は、オントロジオブジェクトのインスタンスの例示的な階層図である。
【００２１】
図３を参照すれば、“Ｒｅｍｉｎｄ ｏｆ ｍｙ ｄａｙ”という題名の歌を示す“Ｒｅｍｉｎｄ_ｏｆ_ｍｙ_ｄａｙ”というオブジェクトは知的財産権対象客体クラスの１つである“Ｐｒｏｄｕｃｔ”のインスタンスであり、“Ｓｏｃｉａｌ_ｔａｇ”及び“ＨａｓＲｉｇｈｔＯｗｎｅｒ”という２つの属性フィールドを有している。“Ｓｏｃｉａｌ_ｔａｇ”属性フィールドは歌に対するユーザの注釈（即ち、ユーザ参加情報）を示すストリングタイプの属性フィールドであり、図３の例で注釈は“Ｓｗｅｅｔ ａｎｄ ｃｌａｓｓｉｃａｌ ｔｙｐｅ ｏｆ ｓｏｎｇ”である。“ＨａｓＲｉｇｈｔＯｗｎｅｒ”属性フィールドは歌に対する知的財産権の所有者を示すオブジェクトタイプの属性フィールドであり、図３の例で所有者は“ＭＭ Ｐｒｏｄｕｃｔｉｏｎ”である。
【００２２】
表２は、図３の例のＲＤＦ（Ｒｅｓｏｕｒｃｅ Ｄｅｓｃｒｉｐｔｉｏｎ Ｆｒａｍｅｗｏｒｋ）表現を示す。
【表２】
2010146541.tif 000004
【００２３】
ＭＰＥＧメディアバリューチェーンオントロジは、ＯＷＬ（Ｗｅｂ Ｏｎｔｏｌｏｇｙ Ｌａｎｇｕａｇｅ）のような機械が解読可能な言語で表現され得る。しかしながら、ＭＰＥＧメディアバリューチェーンオントロジは、ＸＭＬ（Ｅｘｔｅｎｓｉｂｌｅ Ｍａｒｋｕｐ Ｌａｎｇｕａｇｅ）、ＲＤＦなどのような他の言語に容易に変換可能であるので、本発明のデータタイプ属性（ユーザ参加情報属性）は言語に関係なく、使用され得る。
【００２４】
もし、ＭＰＥＧのメディアバリューチェーンオントロジが例えばＯＷＬで表現された場合であれば、ＯＷＬパーサを用いてオントロジをパーシングすることで、ユーザ参加情報属性が獲得される。このユーザ参加情報属性は、意味分析器を用いて分析され、その分析の結果が多様な応用に用いられる。
【００２５】
以下、本発明の一実施形態によるユーザ参加情報の表現方法について図３を例に説明する。
【００２６】
まず、対象オブジェクト選定部２０は、オントロジＤＢ１０に格納されている客体のうち、知的財産権対象客体クラス“Ｐｒｏｄｕｃｔ”のインスタンスとしてユーザ参加情報を追加する客体である“Ｒｅｍｉｎｄ_ｏｆ_ｍｙ_ｄａｙ”客体を選定する。選定が完了すれば、対象オブジェクト選定部２０は“Ｒｅｍｉｎｄ_ｏｆ_ｍｙ_ｄａｙ”客体が選定されたことを知らせる対象オブジェクト選定完了メッセージを属性フィールド選定部３０に提供する。
【００２７】
そうすると、属性フィールド選定部３０では対象オブジェクト選定部２０から入力された対象オブジェクト選定完了メッセージに応じて前記選定された“Ｒｅｍｉｎｄ_ｏｆ_ｍｙ_ｄａｙ”客体と関連した情報を格納するための“Ｓｏｃｉａｌ_ｔａｇ”属性フィールドを選定する。選定が完了すれば、属性フィールド選定部３０は、“Ｓｏｃｉａｌ_ｔａｇ”属性フィールドが選定されたことを知らせる属性フィールド選定完了メッセージをユーザ参加情報入力部４０に提供する。
【００２８】
ユーザ参加情報入力部４０は、属性フィールド選定部３０から入力された属性フィールド選定完了メッセージに応じてユーザ入力である“Ｓｗｅｅｔ ａｎｄ ｃｌａｓｓｉｃａｌ ｔｙｐｅ ｏｆ ｓｏｎｇ”を“Ｓｏｃｉａｌ_ｔａｇ”属性フィールドの値として格納することで、ユーザ参加情報を追加する。“ＨａｓＲｉｇｈｔＯｗｎｅｒ”属性フィールドに対しては、“ＭＭ Ｐｒｏｄｕｃｔｉｏｎ”という値がインスタンスが生成される時に選択されて格納され得る。
【００２９】
本発明によれば、ＭＰＥＧメディアバリューチェーンオントロジオブジェクトのデータタイプ属性フィールドを用いてユーザ参加情報を表現することで、ユーザ参加情報を知的財産権の管理のためのオントロジに追加できる。即ち、メディアの知的財産権と関連して多様なソースから有用な情報を獲得して知的財産権の管理のためのオントロジに追加することで、ユーザの多様な要求に符合する情報を管理して応用できる。
【００３０】
一方、本発明の詳細な説明では具体的な実施形態について説明したが、本発明の範囲から逸脱しない範囲内で様々な変形が可能であることはもちろんである。従って、本発明の範囲は説明された実施形態に限定されず、前述した特許請求の範囲だけでなく、この特許請求の範囲と均等なものにより定められるべきである。
【符号の説明】
【００３１】
１０    オントロジＤＢ
２０    対象オブジェクト選定部
３０    属性フィールド選定部
４０    ユーザ参加情報入力部
【図１】
2010146541.tif 000005
【図２】
2010146541.tif 000006
【図３】
2010146541.tif 000007